(57)【要約】【課題】複数のファンのトータルの風量を低下させるときに、複数の室外ファンによって確保されるトータルの室外熱交換器を通過する空気の量の低下を抑制できる冷凍装置の室外ユニットを提供する。【解決手段】室外熱交換器２３と、室外熱交換器２３を通過する空気流を発生させる、第１室外ファン２８ａ及び第２室外ファン２８ｂと、ファン制御部とを備える。ファン制御部は、低風量が求められる低風量要求時において、第１室外ファン２８ａ及び第２室外ファン２８ｂが運転している第１運転状態から第１室外ファン２８ａの運転を継続し第２室外ファン２８ｂへの電力供給をオフする第２運転状態に移行する。また、ファン制御部は、第２運転状態に移行した後、タイマー、ファンモータに関する電流値の監視、又は、ファン回転数の監視に基づいて、第１室外ファン２８ａ及び第２室外ファン２８ｂへの電力供給をオン／オフするファンオンオフ制御を行う。【選択図】図１
2012077962.tif 000002
【特許請求の範囲】
【請求項１】
室外熱交換器（２３）と、
前記室外熱交換器（２３）を通過する空気流を発生させる、第１室外ファン（２８ａ）及び第２室外ファン（２８ｂ）と、
低風量が求められる低風量要求時において、前記第１室外ファン（２８ａ）及び前記第２室外ファン（２８ｂ）が運転している第１運転状態から、前記第１室外ファン（２８ａ）の運転を継続し前記第２室外ファン（２８ｂ）への電力供給をオフする第２運転状態に移行する、ファン制御部（９５）と、
を備え、
前記ファン制御部（９５）は、前記第２運転状態に移行した後、タイマー（９６）、ファンモータ（２８ｍａ，２８ｍｂ）に関する電流値の監視、又は、ファン回転数の監視に基づいて、前記第１室外ファン（２８ａ）及び前記第２室外ファン（２８ｂ）への電力供給をオン／オフするファンオンオフ制御を行う、
冷凍装置（１）の室外ユニット（２）。
【請求項２】
前記ファン制御部（９５）は、前記第２運転状態に移行した後、前記ファンオンオフ制御において、前記第１室外ファン（２８ａ）を第１回転数で運転し且つ前記第２室外ファン（２８ｂ）への電力供給をオン／オフする第１制御を行う、
請求項１に記載の冷凍装置（１）の室外ユニット（２）。
【請求項３】
前記ファン制御部（９５）は、前記ファンオンオフ制御において、前記第１制御を行った後、前記第１室外ファン（２８ａ）への電力供給をオン／オフし且つ前記第２室外ファン（２８ｂ）への電力供給をオン／オフする第２制御を行う、
請求項２に記載の冷凍装置（１）の室外ユニット（２）。
【請求項４】
前記ファン制御部（９５）は、前記ファンオンオフ制御において、前記第２制御を行った後、前記第１室外ファン（２８ａ）への電力供給をオン／オフし且つ前記第２室外ファン（２８ｂ）への電力供給をオフして回転していない状態にする第３制御を行う、
請求項３に記載の冷凍装置（１）の室外ユニット（２）。
【請求項５】
前記ファン制御部（９５）は、前記室外熱交換器（２３）内の冷媒の凝縮温度又は凝縮圧力に基づいて、前記第１制御における前記第２室外ファン（２８ｂ）、前記第２制御における第１室外ファン（２８ａ）及び第２室外ファン（２８ｂ）の一方のファン、及び、前記第３制御における前記第１室外ファン（２８ａ）への電力供給をオン／オフする、
請求項２又は４に記載の冷凍装置（１）の室外ユニット（２）。
【請求項６】
前記第１回転数は、前記第１室外ファン（２８ａ）及び前記第２室外ファン（２８ｂ）の運転可能な最低回転数であり、
前記ファン制御部（９５）は、
前記第１制御において、前記第２室外ファン（２８ｂ）への電力供給をオンし、前記第２室外ファン（２８ｂ）の回転数が前記第１回転数に達した後は、前記第２室外ファン（２８ｂ）を前記第１回転数で運転し、
前記第２制御において、前記第１室外ファン（２８ａ）及び前記第２室外ファン（２８ｂ）への電力供給をそれぞれオンし、前記第１室外ファン（２８ａ）及び前記第２室外ファン（２８ｂ）の回転数がそれぞれ前記第１回転数に達した後は、前記第１室外ファン（２８ａ）及び前記第２室外ファン（２８ｂ）をそれぞれ前記第１回転数で運転し、
前記第３制御において、前記第１室外ファン（２８ａ）への電力供給をオンし、前記第１室外ファン（２８ａ）の回転数が前記第１回転数に達した後は、前記第１室外ファン（２８ａ）を前記第１回転数で運転する、
請求項２〜５のいずれか１項に記載の冷凍装置（１）の室外ユニット（２）。
【発明の詳細な説明】
【技術分野】
【０００１】
本発明は、冷凍装置の室外ユニットに関する。
【背景技術】
【０００２】
従来、低外気時に冷房運転を行う場合、圧縮機の高低差圧の確保のために、室外ファンの風量を低下したり、室外ファンを停止したりする空気調和装置が提案されている。このような空気調和装置の一例として、特許文献１（特開平５−７１７９１号公報）に開示のように、外気温度の低さに応じて室外ファンの回転速度を低下させるように制御するものや、特許文献２（特開平４−２３６０７２号公報）に開示のように、室外ファンを停止又は間欠運転するものがある。
【発明の概要】
【発明が解決しようとする課題】
【０００３】
ここで、室外ファンが複数ある場合、トータルでのファンの風量を低下させようとしてある室外ファンを停止又は間欠運転すると、停止指令を受けて電力供給がオフされてしばらく経ちファン回転数がゼロ近傍になった室外ファンの吹出口から外気が逆流して中に入り、運転中の室外ファンがその空気を吸い込んでしまうことが想定される。このため、運転中の室外ファンによって確保されていた室外熱交換器を通過する空気の量が低減することが想定される。
【０００４】
そこで、本発明の課題は、複数のファンのトータルの風量を低下させるときに、複数の室外ファンによって確保されるトータルの室外熱交換器を通過する空気の量の低下を抑制できる冷凍装置の室外ユニットを提供することにある。
【課題を解決するための手段】
【０００５】
本発明の第１観点に係る冷凍装置の室外ユニットは、室外熱交換器と、第１室外ファン及び第２室外ファンと、ファン制御部とを備える。第１室外ファン及び第２室外ファンは、室外熱交換器を通過する空気流を発生させる。ファン制御部は、低風量が求められる低風量要求時において、第１運転状態から第２運転状態に移行する。第１運転状態とは、第１室外ファン及び第２室外ファンが運転している状態である。第２運転状態とは、第１室外ファンの運転を継続し第２室外ファンへの電力供給をオフする状態である。また、ファン制御部は、第２運転状態に移行した後、タイマー、ファンモータに関する電流値の監視、又は、ファン回転数の監視に基づいて、ファンオンオフ制御を行う。ファンオンオフ制御は、第１室外ファン及び第２室外ファンへの電力供給をオン／オフする制御である。
【０００６】
ここで、低風量要求時における第２運転状態においては、第２室外ファンのファン回転数がゼロ近傍になると、第１室外ファンが、第２室外ファンの吹出口から逆流して中に入った空気を吸い込み、第１室外ファンによって室外熱交換器を通過している空気の量が下がることが懸念される。
【０００７】
そこで、本発明の第１観点に係る冷凍装置の室外ユニットでは、複数のファンの風量を低下させるときに、タイマー、ファンモータに関する電流値の監視、又は、ファン回転数の監視に基づいて、複数の室外ファンのトータルでの室外熱交換器を通過する空気の量の低下を抑制するように、ファンオンオフ制御を行うことができる。
【０００８】
本発明の第２観点に係る冷凍装置の室外ユニットは、第１観点に係る冷凍装置の室外ユニットであって、ファン制御部は、第２運転状態に移行した後、ファンオンオフ制御において、第１制御を行う。第１制御は、第１室外ファンを第１回転数で運転し且つ第２室外ファンへの電力供給をオン／オフする制御である。
【０００９】
本発明の第２観点に係る冷凍装置の室外ユニットでは、第２運転状態に移行した後に第１制御を行うことで、運転中の第１室外ファンによって室外熱交換器を通過している空気の量が急激に下がることを抑制しながら、複数の室外ファンのトータルの風量をなだらかに低下させることができる。
【００１０】
本発明の第３観点に係る冷凍装置の室外ユニットは、第２観点に係る冷凍装置の室外ユニットであって、ファン制御部は、ファンオンオフ制御において、第１制御を行った後、第２制御を行う。第２制御は、第１室外ファンへの電力供給をオン／オフし且つ第２室外ファンへの電力供給をオン／オフする制御である。
【００１１】
本発明の第３観点に係る冷凍装置の室外ユニットでは、一方の室外ファンの吹出口から逆流して中に入った空気を吸い込むことによって、他方の室外ファンにより室外熱交換器を通過している空気の量が低下することを抑制しながら、複数の室外ファンのトータルの風量を低下させることができる。
【００１２】
本発明の第４観点に係る冷凍装置の室外ユニットは、第３観点に係る冷凍装置の室外ユニットであって、ファン制御部は、前記ファンオンオフ制御において、前記第２制御を行った後、第３制御を行う。第３制御は、第１室外ファンへの電力供給をオン／オフし且つ第２室外ファンへの電力供給をオフして回転していない状態にする制御である。
【００１３】
本発明の第４観点に係る冷凍装置の室外ユニットでは、複数の室外ファンのトータルの風量を低下させることができる。
【００１４】
本発明の第５観点に係る冷凍装置の室外ユニットは、第２観点又は第４観点に係る冷凍装置の室外ユニットであって、ファン制御部は、室外熱交換器内の冷媒の凝縮温度又は凝縮圧力に基づいて、第１制御における第２室外ファン、第２制御における第１室外ファン及び第２室外ファンの一方のファン、及び、第３制御における第１室外ファンへの電力供給をオン／オフする。
【００１５】
本発明の第５観点に係る冷凍装置の室外ユニットでは、室外熱交換器の凝縮能力を調整できる。
【００１６】
本発明の第６観点に係る冷凍装置の室外ユニットは、第２観点〜第５観点のいずれかに係る冷凍装置の室外ユニットであって、第１回転数は、第１室外ファン及び第２室外ファンの運転可能な最低回転数である。ファン制御部は、第１制御において、第２室外ファンへの電力供給をオンし、第２室外ファンの回転数が第１回転数に達した後は、第２室外ファンを第１回転数で運転する。ファン制御部は、第２制御において、第１室外ファン及び第２室外ファンへの電力供給をそれぞれオンし、第１室外ファン及び第２室外ファンの回転数がそれぞれ第１回転数に達した後は、第１室外ファン及び第２室外ファンをそれぞれ第１回転数で運転する。ファン制御部は、第３制御において、第１室外ファンへの電力供給をオンし、第１室外ファンの回転数が第１回転数に達した後は、第１室外ファンを第１回転数で運転する。
【００１７】
本発明の第６観点に係る冷凍装置の室外ユニットでは、ファンオンオフ制御における各種の制御において、第１室外ファンや第２室外ファンへの電力供給をオンした後は、運転可能な最低回転数である第１回転数で運転する。すなわち、ファンオンオフ制御を行うことによって、トータルでの室外ファンの風量を適切に低下することができる。
【発明の効果】
【００１８】
本発明の第１観点に係る冷凍装置の室外ユニットでは、複数のファンのトータルの風量を低下させるときに、複数の室外ファンによって確保されるトータルの室外熱交換器を通過する空気の量の急激な低下を抑制できる冷凍装置の室外ユニットを提供する。
【００１９】
本発明の第２観点に係る冷凍装置の室外ユニットでは、運転中の第１室外ファンによって室外熱交換器を通過している空気の量が急激に下がることを抑制しながら、複数の室外ファンのトータルの風量をなだらかに低下させることができる。
【００２０】
本発明の第３観点に係る冷凍装置の室外ユニットでは、一方の室外ファンの吹出口から逆流して中に入った空気を吸い込むことによって、他方の室外ファンにより室外熱交換器を通過している空気の量が低下することを抑制しながら、複数の室外ファンのトータルの風量を低下させることができる。
【００２１】
本発明の第４観点に係る冷凍装置の室外ユニットでは、複数の室外ファンのトータルの風量を低下させることができる。
【００２２】
本発明の第５観点に係る冷凍装置の室外ユニットでは、室外熱交換器の凝縮能力を調整できる。
【００２３】
本発明の第６観点に係る冷凍装置の室外ユニットでは、ファンオンオフ制御を行うことによって、トータルでの室外ファンの風量を適切に低下することができる。
【図面の簡単な説明】
【００２４】
【図１】本発明の一実施形態に係る冷凍装置としての空気調和装置の冷媒回路の概略構成図。
【図２】制御部の制御ブロック図。
【図３】冷房運転時のフローチャート。
【図４】ファンオンオフ制御を示すフローチャート。
【図５】ファンオンオフ制御の第１制御を示すフローチャート。
【図６】ファンオンオフ制御の第２制御における第１室外ファンの動作を示すフローチャート。
【図７】ファンオンオフ制御の第２制御における第２室外ファンの動作を示すフローチャート。
【図８】ファンオンオフ制御の第３制御を示すフローチャート。
【図９】第１室外ファン及び第２室外ファンのファン回転数と時間との関係の一例を示すグラフ。
【発明を実施するための形態】
【００２５】
以下、図面を参照しながら、本発明の一実施形態に係る冷凍装置の実施形態について説明する。
【００２６】
（１）空気調和装置１の概略構成
図１は、本発明の冷凍装置の一実施形態としての空気調和装置１の冷媒回路１０の概略構成図である。
【００２７】
空気調和装置１は、蒸気圧縮式の冷凍サイクル運転を行うことによって、建物内の居室における冷暖房に使用される装置である。空気調和装置１は、図１に示すように、主として、１台の室外ユニット２と、並列に接続された複数台（本実施形態では、２台）の室内ユニット４ａ，４ｂと、室外ユニット２と室内ユニット４ａ，４ｂとを接続する液側冷媒連絡配管６及びガス側冷媒連絡配管７とを備えている。空気調和装置１の蒸気圧縮式の冷媒回路１０は、室外ユニット２と、室内ユニット４ａ，４ｂと、液側冷媒連絡配管６及びガス側冷媒連絡配管７とが接続されることによって構成されている。
【００２８】
（１−１）室内ユニット４ａ，４ｂについて
以下、室内ユニット４ａ，４ｂについて説明する。
【００２９】
室内ユニット４ａ，４ｂは、建物の居室内の天井に埋め込まれたり吊り下げられたりして、又は、居室内の壁面に掛けられて設置される。室内ユニット４ａ，４ｂは、液側冷媒連絡配管６及びガス側冷媒連絡配管７を介して室外ユニット２に接続されている。
【００３０】
次に、室内ユニット４ａ，４ｂの構成について説明する。なお、室内ユニット４ａと室内ユニット４ｂとは、同様の構成であるため、以下では、室内ユニット４ａの構成についてのみ説明し、室内ユニット４ｂの構成については、室内ユニット４ａの各部を示す添え字「ａ」の代わりに添え字「ｂ」を付して説明を省略する。
【００３１】
室内ユニット４ａは、主として、冷媒回路１０の一部を構成する室内側冷媒回路１０ａ（室内ユニット４ｂでは、室内側冷媒回路１０ｂ）を有している。室内側冷媒回路１０ａは、主として、室内膨張弁４１ａと、室内熱交換器４２ａとを有している。
【００３２】
室内膨張弁４１ａは、室内側冷媒回路１０ａ内を流れる冷媒の流量調節や減圧等を行うために、室内熱交換器４２ａの液側に接続された電動膨張弁である。
【００３３】
室内熱交換器４２ａは、伝熱管と多数のフィンとにより構成されたクロスフィン式のフィン・アンド・チューブ型熱交換器である。室内熱交換器４２ａは、空気調和装置１の冷房運転時には、冷媒の蒸発器として機能して居室内の空気を冷却する。また、室内熱交換器４２ａは、空気調和装置１の暖房運転時には、冷媒の凝縮器として機能して居室内の空気を加熱する。
【００３４】
また、室内ユニット４ａは、室内ファン４３ａを有している。室内ファン４３ａは、室内ユニット４ａ内に居室内の空気を吸入して、室内熱交換器４２ａにおいて冷媒と熱交換させた後に、供給空気として室内に供給するための送風ファンとして機能する。また、室内ファン４３ａは、室内ファンモータ４３ｍａによって駆動され、室内熱交換器４２ａに供給する空気の風量を可変することが可能なファンである。
【００３５】
また、室内ユニット４ａには、各種のセンサが設けられている。具体的には、室内熱交換器４２ａ内を流れる冷媒の温度（冷房運転時における蒸発温度Ｔｅ）を検出する室内熱交温度センサ４４ａと、室内ユニット４ａ内に流入する室内空気の温度（すなわち、室内温度）を検出する室内温度センサ４５ａとが設けられている。
【００３６】
（１−２）室外ユニット２の構成
以下、室外ユニット２の構成について説明する。
【００３７】
室外ユニット２は、建物の室外に設置されており、液側冷媒連絡配管６及びガス側冷媒連絡配管７を介して室内ユニット４ａ，４ｂに接続されている。
【００３８】
また、室外ユニット２は、冷媒回路１０の一部を構成する室外側冷媒回路１０ｃを有している。室外側冷媒回路１０ｃは、主として、圧縮機２１と、四路切換弁２２と、室外熱交換器２３と、室外膨張弁２４と、アキュムレータ２５と、液側閉鎖弁２６と、ガス側閉鎖弁２７とを有している。
【００３９】
圧縮機２１は、冷媒を圧縮する。圧縮機２１は、運転容量を可変することが可能なスクロール圧縮機であり、圧縮機用モータ２１ｍによって駆動される。
【００４０】
四路切換弁２２は、冷媒の流れ方向を切り換えるための切換機構としての弁であり、第１状態（図１の四路切換弁２２の実線を参照）と、第２状態（図１の四路切換弁２２の破線を参照）とを採ることができる。
【００４１】
第１状態では、圧縮機２１の吐出側と室外熱交換器２３のガス側とが接続されると共に圧縮機２１の吸入側と室内熱交換器４２ａ，４２ｂのガス側とが接続されている。すなわち、四路切換弁２２が第１状態を採る場合は、冷媒回路１０が冷房運転の状態となっている。第２状態では、圧縮機２１の吐出側と室内熱交換器４２ａ，４２ｂのガス側（具体的には、ガス側冷媒連絡配管７）とが接続されると共に圧縮機２１の吸入側（具体的には、アキュムレータ２５）と室外熱交換器２３のガス側とが接続されている。すなわち、四路切換弁２２が第２状態を採る場合は、冷媒回路１０が暖房運転の状態となっている。
【００４２】
室外熱交換器２３は、伝熱管と多数のフィンとにより構成されるクロスフィン式のフィン・アンド・チューブ型熱交換器である。室外熱交換器２３は、そのガス側が四路切換弁２２に接続され、その液側が液側冷媒連絡配管６に接続されている。室外熱交換器２３は、冷房運転時には冷媒の凝縮器として機能し、暖房運転時には冷媒の蒸発器として機能する。
【００４３】
室外膨張弁２４は、膨張機構であり、室外側冷媒回路１０ｃ内を流れる冷媒の圧力や流量の調節を行うために、室外熱交換器２３の液側に接続された電動膨張弁である。
【００４４】
アキュムレータ２５は、圧縮機２１と四路切換弁２２との間に接続されており、室内ユニット４ａ，４ｂの運転負荷に応じて冷媒回路１０内に発生する余剰冷媒を溜めることが可能な容器である。
【００４５】
液側閉鎖弁２６及びガス側閉鎖弁２７は、外部の機器・配管（具体的には、液側冷媒連絡配管６及びガス側冷媒連絡配管７）との接続口に設けられた弁である。液側閉鎖弁２６は、室外熱交換器２３に接続されている。ガス側閉鎖弁２７は、四路切換弁２２に接続されている。
【００４６】
また、室外ユニット２は、第１室外ファン２８ａ及び第２室外ファン２８ｂを有している。第１室外ファン２８ａ及び第２室外ファン２８ｂは、室外ユニット２内に室外空気を吸入して、室外熱交換器２３において冷媒と熱交換させた後に、室外に排出する。すなわち、第１室外ファン２８ａ及び第２室外ファン２８ｂは、室外熱交換器２３を通過する空気流を発生させる。また、第１室外ファン２８ａ及び第２室外ファン２８ｂは、室外熱交換器２３に供給する外気の量を可変することが可能なファンであり、それぞれ、第１室外ファンモータ２８ｍａ及び第２室外ファンモータ２８ｍｂによって駆動されるプロペラファンである。
【００４７】
また、室外ユニット２には、各種のセンサ２９〜３５が設けられている。具体的には、室外ユニット２には、圧縮機２１に吸入される冷媒の吸入圧力Ｐ１を検出する吸入圧力センサ２９と、圧縮機２１に吸入される冷媒の吸入温度を検出する吸入温度センサ３０と、圧縮機２１から吐出される冷媒の吐出圧力Ｐ２を検出する吐出圧力センサ３１と、冷媒から吐出される冷媒の吐出温度を検出する吐出温度センサ３２と、室外熱交換器２３内を流れる冷媒の温度（冷房運転時における凝縮温度Ｔｃ）を検出する室外熱交温度センサ３３と、室外熱交換器２３の液側における冷媒の温度を検出する液側温度センサ３４と、室外ユニット２が設置される外部の空気である外気温度を検出する外気温度センサ３５とが設けられている。
【００４８】
以上のように、室内側冷媒回路１０ａ，１０ｂと室外側冷媒回路１０ｃとが液側冷媒連絡配管６及びガス側冷媒連絡配管７によって接続されることで、空気調和装置１の冷媒回路１０が構成されている。
【００４９】
（２）制御ユニット９の構成
図２は、制御ユニット９の制御ブロック図である。
【００５０】
制御ユニット９は、図２に示すように、制御部９１と、記憶部９２とを有する。
【００５１】
制御部９１は、マイクロコンピュータ等から構成されており、室外制御部９３と室内制御部９４とを有する。
【００５２】
室外制御部９３は、室内制御部９４と制御信号のやり取りを行うことによって、室外ユニット２を構成する各種の機器の動作の制御を行う。具体的には、室外制御部９３は、圧縮機２１を駆動するための圧縮機用モータ２１ｍの回転数、室外膨張弁２４の開度、第１室外ファン２８ａ及び第２室外ファン２８ｂを駆動するための第１室外ファンモータ２８ｍａ及び第２室外ファンモータ２８ｍｂの回転数等の制御を行う。なお、室外制御部９３は、各種のセンサ２９〜３５と接続されている。
【００５３】
ここで、室外制御部９３は、ファン制御部９５を有している。そして、上述した第１室外ファンモータ２８ｍａ及び第２室外ファンモータ２８ｍｂの回転数の制御は、このファン制御部９５が行っている。具体的には、ファン制御部９５は、第１室外ファン２８ａ及び第２室外ファン２８ｂ（具体的には、第１室外ファンモータ２８ｍａ及び第２室外ファンモータ２８ｍｂ）への電力供給をオン／オフすることによって、第１室外ファン２８ａ及び第２室外ファン２８ｂの制御を行っている。より具体的には、ファン制御部９５は、第１室外ファンモータ２８ｍａ及び第２室外ファンモータ２８ｍｂに電圧を印加して第１室外ファンモータ２８ｍａ及び第２室外ファンモータ２８ｍｂに電流を供給することによって、第１室外ファンモータ２８ｍａ及び第２室外ファンモータ２８ｍｂへの電力供給をオンしている。
【００５４】
また、ファン制御部９５は、タイマー９６を有している。タイマー９６は、各種の時間を計測する。
【００５５】
室内制御部９４は、室内ユニット４ａ，４ｂの操作を行うためのリモコン（図示せず）や室外制御部９３との間で制御信号のやり取りを行うことによって、室内ユニット４ａ，４ｂを構成する各種の機器の動作を制御する。具体的には、室内制御部９４は、室内ファン４３ａ，４３ｂを駆動するための室内ファンモータ４３ｍａ，４３ｍｂの回転数、室内膨張弁４１ａ，４１ｂの開度等の制御を行う。なお、室内制御部９４は、各種のセンサ４４ａ，４４ｂ、〜４５ａ，４５ｂと接続されている。
【００５６】
記憶部９２は、ＲＡＭやＲＯＭ等のメモリから成る。記憶部９２には、後述するファンオンオフ制御等に用いられる閾値等が記憶されている。
【００５７】
（３）空気調和装置１の動作
以下、空気調和装置１の動作ついて説明する。なお、以下の動作は、制御部９１が行う。
【００５８】
空気調和装置１の動作としては、主として、居室の空調負荷（すなわち、室内ユニット４ａ，４ｂの負荷、例えば、設定温度と室内温度との差に基づくもの等）に応じて、室外ユニット２及び室内ユニット４ａ，４ｂを動作させる、冷房運転や暖房運転がある。以下、簡単に空気調和装置１の運転について説明する。
【００５９】
（３−１）暖房運転
まず、図１を用いて、暖房運転時の空気調和装置１の動作を説明する。
【００６０】
暖房運転時は、四路切換弁２２が第２状態を採る。すなわち、圧縮機２１の吐出側が室内熱交換器４２ａ，４２ｂのガス側に接続され、且つ、圧縮機２１の吸入側が室外熱交換器２３のガス側に接続された状態となっている。この状態において、室内ファン４３ａ，４３ｂ、圧縮機２１、第１室外ファン２８ａ、及び、第２室外ファン２８ｂが起動すると、低圧のガス冷媒は、圧縮機２１に吸入され圧縮されて高圧のガス冷媒となり、四路切換弁２２、ガス側閉鎖弁２７及びガス側冷媒連絡配管７を経由して、室内ユニット４ａ，４ｂに送られる。室内ユニット４ａ，４ｂに送られた高圧のガス冷媒は、室内熱交換器４２ａ，４２ｂにおいて、室内空気と熱交換を行って凝縮されて高圧の液冷媒となる。そして、高圧の液冷媒は、室内膨張弁４１ａ，４１ｂを通過する際に、室内膨張弁４１ａ，４１ｂの開度に応じて減圧される。室内膨張弁４１ａ，４１ｂを通過した冷媒は、液側冷媒連絡配管６を経由して室外ユニット２に送られる。室外ユニット２に送られた冷媒は、液側閉鎖弁２６を経由して室外膨張弁２４でさらに減圧された後に室外熱交換器２３に流入する。室外熱交換器２３に流入した低圧の気液二相状態の冷媒は、第１室外ファン２８ａ及び第２室外ファン２８ｂによって供給される室外空気と熱交換を行う。このとき、低圧の気液二相状態の冷媒は、蒸発されて低圧のガス冷媒となる。低圧のガス冷媒は、四路切換弁２２を経由してアキュムレータ２５に流入する。アキュムレータ２５に流入した低圧のガス冷媒は、再び、圧縮機２１に吸入される。
【００６１】
（３−２）冷房運転
図３は、冷房運転時のフローチャートである。
【００６２】
次は、冷房運転時の空気調和装置１の動作について図１や図３を用いて説明する。
【００６３】
ここで、例えば、低外気時に冷房運転を行うと、室外熱交換器２３の凝縮能力が高まり、圧縮機２１の吐出側の圧力と圧縮機２１の吸入側の圧力との差（高低差圧）を所定値以上に維持することが困難になる場合がある。圧縮機２１の高低差圧の維持が困難になると、圧縮機２１の信頼性の確保の問題が懸念される。
【００６４】
そこで、空気調和装置１では、図３に示すように、冷房運転時においては、冷媒の吐出圧力Ｐ２から冷媒の吸入圧力Ｐ１を減算した圧力Ｐ（すなわち、高低差圧Ｐ）が閾値Ｂ以下（Ｐ≦Ｂ）であるか否かを判定している（ステップＳ１０３）。具体的には、まず、室内ユニット４ａ，４ｂの負荷に応じて室外ユニット２及び室内ユニット４ａ，４ｂの制御（通常制御）を行う（ステップＳ１０１）。次に、冷房運転時において蒸発器として機能する室内熱交換器４２ａ，４２ｂ内を流れる冷媒の温度（すなわち、蒸発温度Ｔｅ）が安定しているかを確認するために、目標蒸発温度Ｔｅ１から蒸発温度Ｔｅを減算した値ΔＴｅの絶対値が閾値Ａ以下（｜ΔＴｅ｜≦Ａ）であるか否かを判定する（ステップＳ１０２）。ここで、蒸発温度Ｔｅは、上述したように、室内熱交温度センサ４４ａ，４４ｂによって検出される。ここで、安定とは、数値の変化にブレがなくなることを意味する。値ΔＴｅの絶対値が閾値Ａ以下（｜ΔＴｅ｜≦Ａ）であると判定した場合は、ステップＳ１０３において、高低差圧Ｐが閾値Ｂ以下（Ｐ≦Ｂ）であるか否かを判定する。他方、値ΔＴｅの絶対値が閾値Ａ以下（｜ΔＴｅ｜≦Ａ）でないと判定した場合は、ステップＳ１０２を繰り返す。
【００６５】
そして、ステップＳ１０３において、高低差圧Ｐが閾値Ｂ以下（Ｐ≦Ｂ）であると判定した場合に、後述する風量低下制御（ステップＳ１０４）を行っている。なお、高低差圧Ｐが閾値Ｂ以下でない（Ｐ＞Ｂ）と判定した場合は、ステップＳ１０１に戻って室内ユニット４ａ，４ｂの負荷に応じて室外ユニット２及び室内ユニット４ａ，４ｂの制御を行っている。
【００６６】
以下、冷房運転時における空気調和装置１の動作を、図１を用いて簡単に説明する。
【００６７】
冷房運転時は、四路切換弁２２が第１状態を採る。すなわち、圧縮機２１の吐出側が室外熱交換器２３のガス側に接続され、且つ、圧縮機２１の吸入側が室内熱交換器４２ａ，４２ｂのガス側に接続された状態となっている。この状態において、室内ファン４３ａ，４３ｂ、圧縮機２１、第１室外ファン２８ａ、及び、第２室外ファン２８ｂを起動すると、低圧のガス冷媒は、圧縮機２１に吸入され圧縮されて高圧のガス冷媒となる。高圧のガス冷媒は、四路切換弁２２を経由して室外熱交換器２３に送られて、第１室外ファン２８ａ及び第２室外ファン２８ｂによって供給される室外空気と熱交換を行う。このとき、高圧のガス冷媒は、室外空気と熱交換を行うことによって凝縮されて高圧の液冷媒となる。高圧の液冷媒は、室外膨張弁２４（ここでは、室外膨張弁２４は全開状態にある）を通過した後、液側閉鎖弁２６及び液側冷媒連絡配管６を経由して、室内ユニット４ａ，４ｂに送られる。室内ユニット４ａ，４ｂに送られた高圧の液冷媒は、室内膨張弁４１ａ，４１ｂを通過する際に減圧され、室内熱交換器４２ａ，４２ｂに送られる。室内熱交換器４２ａ，４２ｂに送られた低圧の気液二相状態の冷媒は、室内空気と熱交換を行うことによって、蒸発されて低圧のガス冷媒となる。低圧のガス冷媒は、ガス側冷媒連絡配管７を経由して室外ユニット２に送られ、ガス側閉鎖弁２７及び四路切換弁２２を経由して、アキュムレータ２５に流入する。アキュムレータ２５に流入した低圧のガス冷媒は、再び、圧縮機２１に吸入される。
【００６８】
（３−３）風量低下制御について
ここで、風量低下制御とは、第１室外ファン２８ａ及び第２室外ファン２８ｂのトータルのファン風量（吹き出し風量）を低下する制御である。上述したように、高低差圧Ｐが確保できないと圧縮機２１の信頼性の問題が懸念されるため、高低差圧Ｐが閾値Ｂ以下である場合は、室外熱交換器２３の凝縮能力を抑制するために風量低下制御を行っている。すなわち、低風量が求められる低風量要求時において、風量低下制御を行っている。
【００６９】
以下、制御部９１（具体的には、ファン制御部９５）による風量低下制御について簡単に説明する。
【００７０】
風量低下制御においては、まず、第１室外ファン２８ａ及び第２室外ファン２８ｂが運転している第１運転状態から、第１室外ファン２８ａの運転を継続し第２室外ファン２８ｂへの電力供給をオフする第２運転状態へ移行する。なお、ここでの室外ファン２８ａ，２８ｂの運転とは、室外ファン２８ａ，２８ｂへの電力供給がオンしている状態で所定の回転数で室外ファン２８ａ，２８ｂが回転している状態を意味する。
【００７１】
ここで、第１運転状態から第２運転状態へ移行すると、電力供給をオフされてしばらく時間が経過することによりファン回転数がゼロ近傍になった第２室外ファンの吹出口から、運転中の第１室外ファンが吸い込んでしまうことが想定される。このため、運転中の第１室外ファンによって確保されていた室外熱交換器を通過する空気の量が下がる（すなわち、運転中の第１室外ファンが通常の吸込口から吸い込む空気の量が低下する）ことが想定される。すなわち、第１室外ファン及び第２室外ファンによって確保される、室外熱交換器を通過する空気のトータルの量が急激に下がることが想定される。
【００７２】
そこで、空気調和装置１では、風量低下制御において第１運転状態から第２運転状態へ移行した後、風量低下制御に続くファン風量を低下させる制御として、第１室外ファン２８ａ及び第２室外ファン２８ｂへの電力供給をオン／オフするファンオンオフ制御を行っている（ステップＳ１０５）。具体的には、ファン制御部９５は、風量低下制御において第１運転状態から第２運転状態へ移行した後、タイマー９６に基づいて、ファンオンオフ制御を行う（開始する）。より具体的には、空気調和装置１では、第２運転状態において、複数の室外ファン２８ａ，２８ｂによって確保されるトータルの室外熱交換器２３を通過する空気の量が急激に低下すると考えられる時間を予め第１閾値として設けている。そして、タイマー９６が、第１室外ファン２８ａ及び第２室外ファン２８ｂが第２運転状態に移行してからの所定時間を計測し、当該所定時間が第１閾値を経過する前に、ファン制御部９５がファンオンオフ制御を開始している。なお、第１閾値は、記憶部９２に記憶されている。
【００７３】
以下、制御部９１（具体的には、ファン制御部９５）によるファンオンオフ制御について具体的に説明する。
【００７４】
（３−４）ファンオンオフ制御について
図４は、ファンオンオフ制御を示すフローチャートである。
【００７５】
ステップＳ１２１では、第１制御を行う。第１制御については、後述する。
【００７６】
ステップＳ１２２では、目標蒸発温度Ｔｅ１から蒸発温度Ｔｅを減算した値ΔＴｅの絶対値が閾値Ａ以下（｜ΔＴｅ｜≦Ａ）であるか否かを判定する。｜ΔＴｅ｜≦Ａであると判定する場合は、ステップＳ１２３へ移行し、他方、｜ΔＴｅ｜≦Ａでないと判定する場合は、ステップＳ１２２を繰り返す。
【００７７】
ステップＳ１２３では、Ｐ≦Ｂであるか否かを判定する。Ｐ≦Ｂであると判定する場合は、図３に示すステップＳ１０１に戻って、室内ユニット４ａ，４ｂの負荷に応じた制御を行う。他方、Ｐ≦Ｂでないと判定する場合は、ステップＳ１２４へ移行して第２制御を行う。第２制御についても後述する。
【００７８】
ステップＳ１２５では、｜ΔＴｅ｜≦Ａであるか否かを判定する。｜ΔＴｅ｜≦Ａであると判定する場合は、ステップＳ１２６へ移行し、他方、｜ΔＴｅ｜≦Ａでないと判定する場合は、ステップＳ１２５を繰り返す。
【００７９】
ステップＳ１２６では、Ｐ≦Ｂであるか否かを判定する。Ｐ≦Ｂであると判定する場合は、ステップＳ１２４に戻って、第２制御を行う。Ｐ≦Ｂでないと判定する場合は、ステップＳ１２７へ移行して第３制御を行う。第３制御についても後述する。
【００８０】
以上のように、ファンオンオフ制御では、まず、第１制御を行い、高低差圧Ｐが閾値Ｂ以下でないと判定する場合に、第２制御を行う。そして、第２制御を行っても、高低差圧Ｐが閾値Ｂ以下にならない場合（高低差圧Ｐが閾値Ｂ以下でないと判定する場合）に、第３制御を行っている。
【００８１】
以下、各種の制御（第１制御〜第３制御）について、図５〜図９を用いて説明する。
【００８２】
なお、第１制御〜第３制御においては、第１室外ファン２８ａ及び第２室外ファン２８ｂへの電力供給をオンして、第１室外ファン２８ａ及び第２室外ファン２８ｂのファン回転数が第１回転数になった後は、第１回転数で第１室外ファン２８ａ及び第２室外ファン２８ｂを運転することを前提とする。
【００８３】
（３−４−１）第１制御
図５は、ファンオンオフ制御の第１制御を示すフローチャートである。以下、第１制御について、図５を用いて説明する。
【００８４】
ステップＳ１３１では、第１室外ファン２８ａの電力供給をオンにした状態を継続する。このとき、第１室外ファン２８ａを、第１室外ファン２８ａや第２室外ファン２８ｂの運転可能な最低回転数である第１回転数（例えば、３５０ｒｐｍ）で運転する。
【００８５】
ステップＳ１３２では、第２室外ファン２８ｂの電力供給がオフされてからの経過時間である第１時間ｔ１が閾値ｔａを超える（ｔ１＞ｔａ）条件、及び、室外熱交換器２３における凝縮圧力Ｐｃに等価な運転状態量である圧縮機２１の吐出圧力Ｐ２が閾値Ｐａ（Ｐ２＞Ｐａ）を超える条件、のいずれかを満たすか否かを判定する。両条件のいずれかを満たすと判定する場合は、ステップＳ１３３へ移行し、他方、両条件のいずれも満たさないと判定する場合は、ステップＳ１３４へ移行する。なお、第１時間ｔ１は、タイマー９６が計測する。
【００８６】
ステップＳ１３３では、第１時間ｔ１が閾値ｔａを超えている（ｔ１＞ｔａ）か否かを判定する。第１時間ｔ１が閾値ｔａを超えている（ｔ１＞ｔａ）と判定する場合は、ステップＳ１３５へ移行し、他方、第１時間ｔ１が閾値ｔａを超えて（ｔ１＞ｔａ）いないと判定する場合は、ステップＳ１３６へ移行する。
【００８７】
ステップＳ１３４では、第２室外ファン２８ｂへの電力供給をオフする、又は、第２室外ファン２８ｂへの電力供給をオフした状態を維持する。そして、ステップＳ１３２へ戻る。
【００８８】
ステップＳ１３５及びステップＳ１３６では、第２室外ファン２８ｂへの電力供給をオンする、又は、第２室外ファン２８ｂへの電力供給をオンした状態を維持する。
【００８９】
ステップＳ１３７では、第２室外ファン２８ｂのファン回転数が第１回転数になったか否かを判定する。なったと判定する場合は、第１制御を終了し、他方、なっていないと判定する場合は、ステップＳ１３７の判定を繰り返す。
【００９０】
ステップＳ１３８では、第２室外ファン２８ｂの電力供給がオンされてからの経過時間である第２時間ｔ２が閾値ｔｄを超えている（ｔ２＞ｔｄ）か否かを判定する。超えていると判定する場合は、ステップＳ１３９へ移行する。他方、超えていないと判定する場合は、ステップＳ１３６へ戻る。なお、第２時間ｔ２は、タイマー９６が計測する。
【００９１】
ステップＳ１３９では、吐出圧力Ｐ２が閾値Ｐｂ（Ｐｂ＞Ｐａ）を超えている（Ｐ２＞Ｐｂ）か否かを判定する。超えていると判定する場合は、図３に示すステップＳ１０１に戻り、通常制御を行う。ここでは、高圧圧力（すなわち、吐出圧力Ｐ２）が目標圧力Ｐｂを確保できているので、第１室外ファン２８ａ及び第２室外ファン２８ｂのトータルのファン回転数を上げるために、通常制御に戻る処理構成としている。他方、超えていないと判定する場合は、ステップＳ１３２からの処理を行う。
【００９２】
ステップＳ１４０では、第２室外ファン２８ｂのファン回転数が第１回転数になったか否かを判定する。なったと判定する場合は、第１制御を終了し、他方、なっていないと判定する場合は、ステップＳ１４０の判定を繰り返す。
【００９３】
ここで、第１制御における第１室外ファン２８ａ及び第２室外ファン２８ｂの時間の経過に伴うファン回転数の変動の一例を、図９を用いて簡単に説明する。
【００９４】
図９は、第１室外ファン２８ａ及び第２室外ファン２８ｂのファン回転数（ｒｐｍ）と、時間（ｍｉｎ）との関係の一例を示すグラフである。実線で示すグラフが第１室外ファン２８ａのファン回転数を示し、二点鎖線で示すグラフが第２室外ファン２８ｂのファン回転数を示す。
【００９５】
まず、第１制御に移行する前は、第１室外ファン２８ａ及び第２室外ファン２８ｂは第２運転状態にあるので、第２室外ファン２８ｂは、電力供給がオフされた状態にある。よって、第２室外ファン２８ｂは、第１制御に移行した時には、ファン回転数が低下している状態にある。
【００９６】
そして、吐出圧力Ｐ２が閾値Ｐａを超える場合（図９に示すＡ）に、第２室外ファン２８ｂへの電力供給がオンされて、第２室外ファン２８ｂのファン回転数は上昇する。そして、第２室外ファン２８ｂのファン回転数が第１回転数に達すると、第２室外ファン２８ｂのファン回転数は第１回転数で維持される。そして、吐出圧力Ｐ２が閾値Ｐａ以下になる（図９に示すＢ）と、第２室外ファン２８ｂへの電力供給がオフされるので、ファン回転数は低下する。
【００９７】
なお、吐出圧力Ｐ２が閾値Ｐａを超えていなくても、第１時間ｔ１が閾値ｔａを超える場合（図９に示すＣ）は、第２室外ファン２８ｂへの電力供給がオンされる。よって、第２室外ファン２８ｂのファン回転数は上昇する。
【００９８】
なお、第１時間ｔ１が閾値ｔａを超える場合は、第２室外ファン２８ｂのファン回転数が第１回転数に達することによって第１制御を終了する。また、第２室外ファン２８ｂへの電力供給がオンされた後、第２時間ｔ２が閾値ｔｄを超え且つ吐出圧力Ｐ２が閾値Ｐｂを超える場合にも、第２室外ファン２８ｂのファン回転数が第１回転数に達することによって第１制御を終了する。
【００９９】
なお、第１制御を行う間は、上述したように、第１室外ファン２８ａは、第１回転数で運転した状態にあるので、ファン回転数は一定である。
【０１００】
以上のように、第２運転状態に移行した後は、ファンオンオフ制御において、第１室外ファン２８ａを第１回転数で運転し且つ第２室外ファン２８ｂへの電力供給をオン／オフする第１制御を行っている。
【０１０１】
また、以上のように、第１制御では、第２室外ファン２８ｂの電力供給がオフされてからの経過時間である第１時間ｔ１や、吐出圧力Ｐ２（凝縮圧力Ｐｃ）に基づいて、第２室外ファン２８ｂへの電力供給をオン／オフしている。
【０１０２】
（３−４−２）第２制御
（３−４−２−１）第２制御の第１室外ファン２８ａの制御について
図６は、ファンオンオフ制御の第２制御における第１室外ファン２８ａの動作を示すフローチャートである。以下、図６を用いて第２制御における第１室外ファン２８ａの動作を説明する。
【０１０３】
ステップＳ１４１では、第１室外ファン２８ａへの電力供給をオフする、又は、第１室外ファン２８ａへの電力供給をオフした状態を維持する。
【０１０４】
ステップＳ１４２では、第１室外ファン２８ａへの電力供給がオフされてからの経過時間である第３時間ｔ３が閾値ｔｃを超える（ｔ３＞ｔｃ）条件、及び、凝縮圧力Ｐｃが閾値Ｐａを超える（Ｐｃ＞Ｐａ）条件、のいずれかを満たすか否かを判定する。両条件のいずれかを満たすと判定する場合は、ステップＳ１４３へ移行し、他方、両条件のいずれも満たさないと判定する場合は、ステップＳ１４１に戻る。
【０１０５】
ステップＳ１４３では、第３時間ｔ３が閾値ｔｃを超えている（ｔ３＞ｔｃ）か否かを判定する。超えていると判定する場合は、ステップＳ１４４へ移行する。他方、超えていないと判定する場合は、ステップＳ１４５へ移行する。
【０１０６】
ステップＳ１４４では、第１室外ファン２８ａへの電力供給をオンする。
【０１０７】
ステップＳ１４５では、第１室外ファン２８ａへの電力供給をオンする、又は、第１室外ファン２８ａへの電力供給をオンした状態を維持する。
【０１０８】
ステップＳ１４６では、第１室外ファン２８ａのファン回転数が第１回転数になったか否かを判定する。なったと判定する場合は、ステップＳ１４７へ移行する。他方、なっていないと判定する場合は、ステップＳ１４６の判定を繰り返す。
【０１０９】
ステップＳ１４７では、第２制御を終了する第２制御終了フラグをオンする。これにより、第２制御が終了する。
【０１１０】
ステップＳ１４８では、第１室外断２８ａへの電力供給をオンしてからの経過時間である第４時間ｔ４が閾値ｔｄを超えている（ｔ４＞ｔｄ）か否かを判定する。超えていると判定する場合は、ステップＳ１４９へ移行し、他方、超えていないと判定する場合は、ステップＳ１４１へ移行する。
【０１１１】
ステップＳ１４９では、吐出圧力Ｐ２が閾値Ｐｂを超えている（Ｐ２＞Ｐｂ）か否かを判定する。超えていると判定する場合は、ステップＳ１５０へ移行する。他方、超えてないと判定する場合は、ステップＳ１４１からの処理を行う。
【０１１２】
ステップＳ１５０では、第１室外ファン２８ａのファン回転数が第１回転数になったか否かを判定する。なったと判定する場合は、第２制御を終了し、他方、なっていないと判定する場合は、ステップＳ１５０の判定を繰り返す。
【０１１３】
ステップＳ１５１では、第１制御に移行する第１制御移行フラグをオンする。これにより、第１制御に移行する。ここでは、高圧圧力（すなわち、吐出圧力Ｐ２）が目標圧力Ｐｂを確保できているので、第１室外ファン２８ａ及び第２室外ファン２８ｂのトータルのファン回転数を上げるために、第１制御に戻る処理構成としている。
【０１１４】
なお、第２制御における第１室外ファン２８ａは、第１制御における第２室外ファン２８ｂと同様に、吐出圧力Ｐ２（凝縮圧力Ｐｃ）に基づいて、電力供給がオン／オフされる。よって、第２制御における第１室外ファン２８ａのファン回転数の遷移の説明は省略する。
【０１１５】
（３−４−２−２）第２制御の第２室外ファン２８ｂの制御について
図７は、ファンオンオフ制御の第２制御における第２室外ファン２８ｂの動作を示すフローチャートである。以下、図７を用いて第２制御における第２室外ファン２８ｂの動作を説明する。
【０１１６】
ステップＳ１６１では、第２室外ファン２８ｂへの電力供給をオフする、又は、第２室外ファン２８ｂへの電力供給をオフした状態を維持する。
【０１１７】
ステップＳ１６２では、第１時間ｔ１が閾値ｔａを超えているか否かを判定する。超えていると判定する場合は、ステップＳ１６３に移行し、他方、超えていないと判定する場合は、ステップＳ１６１へ戻る。
【０１１８】
ステップＳ１６３では、第２室外ファン２８ｂへの電力供給をオンする、第２室外ファン２８ｂへの電力供給をオンした状態を維持する。
【０１１９】
ステップＳ１６４では、第２時間ｔ２が閾値ｔｂを超えている（ｔ２＞ｔｂ）か否かを判定する。超えていると判定する場合は、ステップＳ１６５へ移行する。他方、超えていないと判定する場合は、ステップＳ１６３へ戻る。
【０１２０】
ステップＳ１６５では、フラグがオンしているか否かを判定する。オンしていると判定する場合は、ステップＳ１６６へ移行し、他方、オンしていないと判定する場合は、ステップＳ１６１に戻る。
【０１２１】
ステップＳ１６６では、第２制御終了フラグがオンしているか否かを判定する。オンしていると判定する場合は、ステップＳ１６７へ移行し、他方、オンしていないと判定する場合は、ステップＳ１６８に移行する。
【０１２２】
ステップＳ１６７では、ファン回転数が第１回転数になったか否かを判定する。なったと判定する場合は、第２制御を終了する。他方、なっていないと判定する場合は、ステップＳ１６７の処理を繰り返す。
【０１２３】
ステップＳ１６８では、第２室外ファン２８ｂのファン回転数が第１回転数になったか否かを判定する。なったと判定する場合は、第１制御に移行する。他方、なっていないと判定する場合は、ステップＳ１６８の処理を繰り返す。
【０１２４】
ここで、第２制御における第２室外ファン２８ｂの時間の経過に伴うファン回転数の変動の一例を、図９を用いて簡単に説明する。
【０１２５】
図９に示すように、第２制御では、まず、第２室外ファン２８ｂへの電力供給がオフされるので、ファン回転数は降下する。そして、第１時間ｔ１が閾値ｔａを超える場合（図９に示すＤ）に第２室外ファン２８ｂへの電力供給がオンされて、ファン回転数は上昇する。そして、第２時間ｔ２が閾値ｔｂを超える場合（図９に示すＥ）に第２室外ファン２８ｂへの電力供給がオフされてファン回転数は下降する。それ以降のファン回転数も、第２制御フラグ又は第１制御移行フラグがオンされるまで、同様に遷移していく。
【０１２６】
以上のように、ファンオンオフ制御では、第１制御を行った後、所定条件に基づいて、第１室外ファン２８ａへの電力供給をオン／オフし且つ第２室外ファン２８ｂへの電力供給をオン／オフする第２制御を行っている。
【０１２７】
具体的には、第２制御では、第１室外ファン２８ａへの電力供給を、第１室外ファン２８ａへの電力供給がオフされてからの経過時間である第３時間ｔ３や、吐出圧力Ｐ２（凝縮圧力Ｐｃ）に基づいて、オン／オフしている。また、第２制御では、第２室外ファン２８ｂへの電力供給をオフした後は、閾値ｔａを超えるまで停止させる処理構成とし、且つ、第２室外ファン２８ｂへの電力供給をオンした後は、閾値ｔｂを超えるまで運転させる処理構成としている。すなわち、第２室外ファン２８ｂは、所定の周期（停止時間は、ｔａ、運転時間は、ｔｂ）でオン／オフされる。
【０１２８】
（３−４−３）第３制御
図８は、ファンオンオフ制御の第３制御を示すフローチャートである。以下、図８を用いて第３制御について説明する。
【０１２９】
ステップＳ１７１では、第２室外ファン２８ｂへの電力供給をオフする。なお、第３制御においては、第２室外ファン２８ｂへの電力供給をオフした後は、電力供給をオンしない。すなわち、このステップにおいて第２室外ファン２８ｂへの電力供給をオフした後は、第２室外ファン２８ｂは、回転していない状態、すなわち、完全に停止した状態になる。
【０１３０】
ステップＳ１７２では、第１室外ファン２８ａへの電力供給をオフする。
【０１３１】
ステップＳ１７３では、吐出圧力Ｐ２が閾値Ｐａを超えているか否かを判定する。超えると判定する場合は、ステップＳ１７４へ移行する。他方、超えていないと判定する場合は、ステップＳ１７２に戻って、第１室外ファン２８ａへの電力供給をオフした状態を継続する。
【０１３２】
ステップＳ１７４では、第１室外ファン２８ａへの電力供給をオンする。
【０１３３】
ステップＳ１７５では、第４時間ｔ４が、閾値ｔｄを超えているか否かを判定する。超えていると判定する場合は、ステップＳ１７６へ移行し、他方、超えていないと判定する場合は、ステップＳ１７４へ移行して、第１室外ファン２８ｂへの電力供給をオンした状態を継続する。
【０１３４】
ステップＳ１７６では、吐出圧力Ｐ２が閾値Ｐｂを超えているか否かを判定する。超えていると判定する場合は、ステップＳ１７７へ移行し、他方、超えていないと判定する場合は、ステップＳ１７２に戻る。
【０１３５】
ステップＳ１７７では、第１室外ファン２８ａのファン回転数が第１回転数になったか否かを判定する。なったと判定する場合は、第３制御を終了する。他方、なっていないと判定する場合は、ステップＳ１７７の処理を繰り返す。
【０１３６】
ここで、第３制御における第１室外ファン２８ａ及び第２室外ファン２８ｂの時間の経過に伴うファン回転数の変動の一例を、図９を用いて説明すると、まず、第３制御においては、第２室外ファン２８ｂへの電力供給をオフした状態を維持するので、第２室外ファン２８ｂのファン回転数は最終的にゼロになる。他方、第１室外ファン２８ａについては、第１制御と同様に、吐出圧力Ｐ２に基づいて、電力供給のオン／オフがされる。そして、吐出圧力Ｐ２が閾値Ｐｂを超える場合に、第３制御を終了する。よって、これに基づいてファン回転数は変動する。
【０１３７】
以上のように、ファンオンオフ制御においては、第２制御を行った後、第１室外ファン２８ａへの電力供給をオン／オフし且つ第２室外ファン２８ｂへの電力供給をオフして回転していない状態にする第３制御を行っている。
【０１３８】
（４）特徴
（４−１）
本実施形態の空気調和装置１では、高低差圧Ｐが閾値Ｂ以下であるような、室外ファン（第１室外ファン２８ａ及び第２室外ファン２８ｂ）の低風量が求められる低風量要求時において、制御部９１（具体的には、ファン制御部９５）は、まず、第１室外ファン２８ａ及び第２室外ファン２８ｂが運転している第１運転状態から、第１室外ファン２８ａの運転を継続し第２室外ファン２８ｂへの電力供給をオフする第２運転状態に移行する。
【０１３９】
ここで、上述したように、第１運転状態から第２運転状態へ移行すると、電力供給がオフされた第２室外ファンのファン回転数がゼロ近傍になると、運転中の第１室外ファンによって室外熱交換器を通過する空気の量が急激に低減してしまい、第１室外ファン及び第２室外ファンのよって確保される、室外熱交換器を通過する空気のトータルの量が急激に低減することが懸念される。
【０１４０】
そこで、空気調和装置１では、制御部９１（具体的には、ファン制御部９５）は、第１運転状態から第２運転状態へ移行した後、タイマー９６（タイマー９６による所定時間の計測）に基づいて、第１室外ファン２８ａ及び第２室外ファン２８ｂへの電力供給をオン／オフするファンオンオフ制御を開始している。具体的には、ファン制御部９５は、所定時間が第１閾値を経過する前に、ファンオンオフ制御を開始している。
【０１４１】
これにより、複数の室外ファン２８ａ，２８ｂによって確保される、トータルでの室外熱交換器２３を通過する空気の量の低下を抑制できる。また、第１室外ファン２８ａ及び第２室外ファン２８ｂへの電力供給をオン／オフすることで、複数の室外ファン２８ａ，２８ｂのトータルの風量（吹き出し量）を低下することが可能になる。
【０１４２】
（４−２）
本実施形態の空気調和装置１では、制御部９１（具体的には、ファン制御部９５）は、風量低下制御において第１運転状態から第２運転状態に移行した後、ファンオンオフ制御において、第１室外ファン２８ａを運転可能な最低回転数である第１回転数で運転し且つ第２室外ファン２８ｂへの電力供給をオン／オフする第１制御を行う。
【０１４３】
これにより、第１回転数で運転を継続している第１室外ファン２８ａによって確保される、室外熱交換器２３を通過する空気の量が急激に下がることを抑制しながら（すなわち、複数の室外ファン２８ａ，２８ｂのよって確保されるトータルでの室外熱交換器２３を通過する空気の量の低下を抑制しながら）、複数の室外ファン２８ａ，２８ｂのトータルの風量（吹き出し量）をなだらかに低下させることができる。
【０１４４】
（４−３）
本実施形態の空気調和装置１では、制御部９１（具体的には、ファン制御部９５）は、ファンオンオフ制御において、第１制御を行った後、第１室外ファン２８ａへの電力供給をオン／オフし且つ第２室外ファン２８ｂへの電力供給をオン／オフする第２制御を行う。
【０１４５】
これにより、一方の室外ファンの吹出口から空気を吸い込むことによって、他方の室外ファンにより室外熱交換器を通過する空気の量が低下することを抑制しながら（すなわち、複数の室外ファン２８ａ，２８ｂのよって確保されるトータルでの室外熱交換器２３を通過する空気の量の低下を抑制しながら）、第１制御を行っているときよりも複数の室外ファン２８ａ，２８ｂのトータルの風量（吹き出し量）を低下させることができる。
【０１４６】
（４−４）
本実施形態の空気調和装置１では、制御部９１（具体的には、ファン制御部９５）は、ファンオンオフ制御において、第２制御を行った後、第１室外ファン２８ａへの電力供給をオン／オフし且つ第２室外ファン２８ｂへの電力供給をオフして回転していない状態にする第３制御を行う。
【０１４７】
これにより、第２制御を行っているときよりも複数の室外ファン２８ａ，２８ｂのトータルの風量（吹き出し量）を低下させることができる。
【０１４８】
（４−５）
本実施形態の空気調和装置１では、ファン制御部９５は、第１制御において、圧縮機２１の吐出圧力Ｐ２（凝縮圧力Ｐｃに等価な運転状態量）に基づいて、第２室外ファン２８ｂへの電力供給をオン／オフする。また、ファン制御部９５は、第２制御において、圧縮機２１の吐出圧力Ｐ２（凝縮圧力Ｐｃに等価な運転状態量）に基づいて、第１室外ファン２８ａへの電力供給をオン／オフする。また、ファン制御部９５は、第３制御において、圧縮機２１の吐出圧力Ｐ２（凝縮圧力Ｐｃに等価な運転状態量）に基づいて、第１室外ファン２８ａへの電力供給をオン／オフする。
【０１４９】
これにより、冷房運転時の室外熱交換器２３の凝縮能力を調整することができる。
【０１５０】
（４−６）
本実施形態の空気調和装置１では、第１制御、第２制御、及び、第３制御において、第１室外ファン２８ａや第２室外ファン２８ｂへの電力供給をオンした後、これらの室外ファン２８ａ，２８ｂのファン回転数が、運転可能な最低回転数である第１回転数に達した後は、第１回転数で第１室外ファン２８ａや第２室外ファン２８ｂを運転している。
【０１５１】
これは、ファン風量を低下するためには、最低回転数未満のファン回転数で第１室外ファン２８ａや第２室外ファン２８ｂを運転することが望ましいが、最低回転数未満のファン回転数で第１室外ファン２８ａや第２室外ファン２８ｂを運転すると軸受やファンモータに影響することが懸念されるからである。
【０１５２】
ファンオンオフ制御では、第１室外ファン２８ａや第２室外ファン２８ｂが第１回転数に達した後は第１回転数で第１室外ファン２８ａや第２室外ファン２８ｂを運転するので、ファンオンオフ制御を行うことによって、トータルとして第１室外ファン２８ａ及び第２室外ファン２８ｂの風量を適切に低下させることができる。
【０１５３】
（５）変形例
以上、本発明の実施形態について図面に基づいて説明したが、具体的な構成は、上記の実施形態に限られるものではなく、発明の要旨を逸脱しない範囲で変更可能である。
【０１５４】
（５−１）変形例１Ａ
上記実施形態では、ファン制御部９５は、第１室外ファン２８ａ及び第２室外ファン２８ｂを第２運転状態に移行した後、タイマー９６に基づいて、ファンオンオフ制御を行うと説明したが、これに限られるものではない。
【０１５５】
例えば、ファン制御部９５は、第２運転状態に移行した後、第１室外ファンモータ２８ｍａ及び第２室外ファンモータ２８ｍｂ（ファンモータ）に関する電流値の監視に基づいて、ファンオンオフ制御を行って（開始して）もよい。
【０１５６】
この場合、第１室外ファンモータ２８ｍａ及び第２室外ファンモータ２８ｍｂに供給される電流値を記憶部９２に記憶する。そして、ファン制御部９５が、記憶部９２に記憶される第１室外ファンモータ２８ｍａ及び第２室外ファンモータ２８ｍｂに供給される電流値を監視することによって、ファンオンオフ制御を行う（開始する）。
【０１５７】
より具体的には、第２運転状態において、複数の室外ファン２８ａ，２８ｂによって確保されるトータルの室外熱交換器２３を通過する空気の量が急激に低下すると考えられる、第１室外ファンモータ２８ｍａに供給される電流値と第２室外ファンモータ２８ｍｂに供給される電流値との差を、予め、第２閾値として設けている。なお、第２閾値は、記憶部９２に記憶される。
【０１５８】
そして、ファン制御部９５は、第２運転状態に移行した後、第１室外ファンモータ２８ｍａに供給される電流値と第２室外ファンモータ２８ｍｂに供給される電流値との差が、第２閾値を超える前に、ファンオンオフ制御を行う（開始する）。
【０１５９】
また、ファン制御部９５は、第２運転状態に移行した後、第１室外ファン及び第２室外ファン２８ｂのファン回転数の監視に基づいて、ファンオンオフ制御を行って（開始して）もよい。
【０１６０】
この場合、第２運転状態において、複数の室外ファン２８ａ，２８ｂによって確保されるトータルの室外熱交換器２３を通過する空気の量が急激に低下すると考えられる、第１室外ファン２８ａのファン回転数と第２室外ファン２８ｂのファン回転数との差を、予め、第３閾値として設けている。なお、第３閾値は、記憶部９２に記憶される。そして、ファン制御部９５は、第２運転状態に移行した後、第１室外ファン２８ａのファン回転数と第２室外ファン２８ｂのファン回転数との差が、第３閾値を超える前に、ファンオンオフ制御行う（開始する）。
【０１６１】
以上のような場合であっても、同様の効果を奏する。
【０１６２】
（５−２）変形例１Ｂ
上記実施形態では、第２制御において、第１室外ファン２８ａと第２室外ファン２８ｂとの動作は異なるが、同時に動作してもよい。図９に示す第２制御における第１室外ファン２８ａ及び第２室外ファン２８ｂのファン回転数の位相は、同位相となる。
【０１６３】
コノ場合であっても、上述と同様の効果を奏する。
【０１６４】
（５−３）変形例１Ｃ
上記実施形態では、ファンオンオフ制御における各種の制御において、適宜、第１室外ファン２８ａや第２室外ファン２８ｂへの電力供給を、凝縮圧力Ｐｃに等価な運転状態量である吐出圧力Ｐ２が閾値Ｐａを超えているか否かに基づいて行っているが、これに限られるものではない。
【０１６５】
例えば、室外熱交温度センサ３３によって検出される室外熱交換器２３内の冷媒の凝縮温度Ｔｃが閾値Ｔａ（例えば、３０℃）を超えるか否かに基づいて、行ってもよい。
【０１６６】
また、室外熱交換器２３における冷媒の凝縮圧力Ｐｃを直接検出する凝縮圧力センサ（図示せず）を設け、当該凝縮圧力センサによって検出された凝縮圧力Ｐｃに基づいて、行ってもよい。また、室外熱交換器２３における冷媒の凝縮温度Ｔｃ（室外熱交温度センサ３３によって検出される）を、換算して凝縮圧Ｐｃを算出し、当該算出した凝縮圧力Ｐｃに基づいて、行ってもよい。
【０１６７】
（５−４）変形例１Ｄ
上記実施形態では、第２制御、第３制御において、吐出圧力Ｐ２が閾値Ｐｂを超える場合や高低差圧Ｐが閾値Ｂ以下である場合は、それぞれ、第１制御、第２制御に戻っている。これは、ファン回転数をなだらかに上昇させていくことを意図しているからである。但し、これに限られるものではなく、状況によっては、通常制御に戻る場合があってもよい。
【０１６８】
（５−５）変形例１Ｅ
上記実施形態では、高低差圧Ｐが閾値Ｂ以下であるような、室外ファン（第１室外ファン２８ａ及び第２室外ファン２８ｂ）の低風量が求められる低風量要求時として、低外気時における冷房運転を行う場合を例に挙げて説明したが、これに限られるものではない。
【０１６９】
上記実施形態に記載の制御は、高低差圧Ｐが閾値Ｂ以下であるような状況下において適用可能であるため、例えば、サーモオフ後の起動時や、通常制御時に室内ユニットの運転台数が減少し圧縮機の回転数が減少する時にも適用できる。
【０１７０】
（５−６）変形例１Ｆ
上記実施形態では、第１室外ファン２８ａと第２室外ファン２８ｂとは同機種のものを想定して記載したが、異なる機種のものであってもよい。この場合、第１室外ファン２８ａと、第２室外ファン２８ｂとが運転可能な最低回転数である第１回転数は、異なる場合がある。
【０１７１】
（５−７）変形例１Ｇ
上記実施系では、本発明に係る冷凍装置として空気調和装置に限定して説明したが、これに限られるものではなく、ヒートポンプ式の給湯装置であってもよい。
【産業上の利用可能性】
【０１７２】
本発明は、複数の室外ファンを備える種々の冷凍装置の室外ユニットに適用可能である。
【符号の説明】
【０１７３】
１              空気調和装置（冷凍装置）
２              室外ユニット
２３            室外熱交換器
２８ａ          第１室外ファン
２８ｂ          第２室外ファン
２８ｍａ        第１室外ファンモータ
２８ｍｂ        第２室外ファンモータ
９５            ファン制御部
９６            タイマー
【先行技術文献】
【特許文献】
【０１７４】
【特許文献１】特開平５−７１７９１号公報
【特許文献２】特開平４−２３６０７２号公報
【図１】
2012077962.tif 000003
【図２】
2012077962.tif 000004
【図３】
2012077962.tif 000005
【図４】
2012077962.tif 000006
【図５】
2012077962.tif 000007
【図６】
2012077962.tif 000008
【図７】
2012077962.tif 000009
【図８】
2012077962.tif 000010
【図９】
2012077962.tif 000011